(57)【特許請求の範囲】
【請求項１】
形状記憶合金ワイヤと、この形状記憶合金ワイヤの少なくとも一端部に固定された端子とからなる張設線において、前記端子を端子本体と、この端子本体にほぼＵ字状に折り曲げ形成された前記形状記憶合金ワイヤを固定する折り曲げ部と、この折り曲げ部に前記形状記憶合金ワイヤを挿入し、該形状記憶合金ワイヤの軸心方向に対して凹凸部が生じるように、該折り曲げ部、形状記憶合金ワイヤをカシメるカシメ固定部と、前記形状記憶合金ワイヤの伸縮時に前記折り曲げ部を押し開こうとする力を阻止するように、該折り曲げ部の開放端周辺を前記端子本体に溶接あるいはカシメによって固定する折り曲げ部の開放端固定部とで構成したことを特徴とする張設線。
【請求項２】
折り曲げ部の屈曲部より離れた部位に形状記憶合金ワイヤを位置させてカシメ固定したことを特徴とする請求項１記載の張設線。
【発明の詳細な説明】
【技術分野】
【０００１】
本発明は靭性が高く硬く、通電による伸縮動作も行なう形状記憶合金ワイヤの端部に端子を固定した張設線に関する。
【背景技術】
【０００２】
従来の張設線は形状記憶合金ワイヤの端部に端子をカシメで固定していた。
しかしながら、形状記憶合金ワイヤは伸縮動作させて使用するので、この動作の繰り返しによってカシメ固定部に押し開こうとする力が作用して固定力が弱まることから、形状記憶合金ワイヤが位置ずれをおこしてしまい、形状記憶合金ワイヤの長さが変化して長期間使用することができないという欠点があった。
【先行技術文献】
【特許文献】
【０００３】
【特許文献１】特開２００２−３２４５９４
【発明の概要】
【発明が解決しようとする課題】
【０００４】
本発明は以上のような従来の欠点に鑑み、形状記憶合金ワイヤの伸縮を繰返しても、形状記憶合金ワイヤと端子との固定部分が強固に固定された状態を保って、寸法誤差が生じて誤作動が生じたりするのを確実に防止することができる張設線を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は形状記憶合金ワイヤと、この形状記憶合金ワイヤの少なくとも一端部に固定された端子とからなる張設線において、前記端子を端子本体と、この端子本体にほぼＵ字状に折り曲げ形成された前記形状記憶合金ワイヤを固定する折り曲げ部と、この折り曲げ部に前記形状記憶合金ワイヤを挿入し、該形状記憶合金ワイヤの軸心方向に対して凹凸部が生じるように、該折り曲げ部、形状記憶合金ワイヤをカシメるカシメ固定部と、前記形状記憶合金ワイヤの伸縮時に前記折り曲げ部を押し開こうとする力を阻止するように、該折り曲げ部の開放端周辺を前記端子本体に溶接あるいはカシメによって固定する折り曲げ部の開放端固定部とで張設線を構成している。
【発明の効果】
【０００８】
以上の説明から明らかなように、本発明にあっては次に列挙する効果が得られる。
（１）請求項１の形状記憶合金ワイヤを固定する折り曲げ部を、形状記憶合金ワイヤの軸心方向に対して凹凸が生じるようにカシメるカシメ固定部と、折り曲げ部の開放端周辺を端子本体に固定する折り曲げ部の開放端固定部とによって、形状記憶合金ワイヤが伸縮を繰返してカシメ固定部より移動しようとしても、形状記憶合金ワイヤの軸心方向に対して凹凸部が生じるようにカシメているので、その移動を確実に阻止することができる。
また、形状記憶合金ワイヤが伸縮を繰返して、折り曲げ部を押し開こうとする力が作用しても、折り曲げ部の開放端固定部によって、その作用を阻止することができる。
したがって、長期間形状記憶合金ワイヤと端子とを強固に移動することなく固定でき、信頼性の向上や耐久性の向上を図ることができる。
（２）前記（１）によって、カシメ固定部と折り曲げ部の開放端固定部とを形成するだけで、確実に形状記憶合金ワイヤと端子を固定でき、かつ量産を容易に行なうことができる。
（３）請求項２も前記（１）、（２）と同様な作用効果が得られるとともに、折り曲げ部の屈曲部より離れた部位に形状記憶合金ワイヤを位置させてカシメ固定しているので、形状記憶合金ワイヤと折り曲げ部のカシメ固定部のカシメを確実に行なうことができる。
【図面の簡単な説明】
【０００９】
【図１】本発明を実施するための第１の形態の正面図。
【図２】本発明を実施するための第１の形態の要部拡大図。
【図３】図２の平面図。
【図４】図２の側面図。
【図５】図２の背面図。
【図６】図２の底面図。
【図７】図２の７−７線に沿う断面図。
【図８】図２の８−８線に沿う断面図。
【図９】本発明を実施するための第１の形態のカシメ金型の説明図。
【図１０】本発明を実施するための第２の形態の正面図。
【図１１】本発明を実施するための第２の形態の要部拡大図。
【図１２】図１１の１２−１２線に沿う断面図。
【図１３】本発明を実施するための第３の形態の正面図。
【図１４】本発明を実施するための第３の形態の要部拡大図。
【図１５】図１４の１５−１５線に沿う断面図。
【図１６】本発明を実施するための第４の形態の正面図。
【図１７】本発明を実施するための第４の形態の要部拡大図。
【図１８】図１７の１８−１８線に沿う断面図。
【図１９】本発明を実施するための第５の形態の正面図。
【図２０】本発明を実施するための第５の形態の要部拡大図。
【図２１】図２０の２１−２１線に沿う断面図。
【図２２】本発明を実施するための第５の形態のカシメ金型の説明図。
【図２３】本発明を実施するための第６の形態の正面図。
【図２４】本発明を実施するための第６の形態の要部拡大図。
【図２５】図２４の２５−２５線に沿う断面図。
【発明を実施するための形態】
【００１０】
以下、図面に示す本発明を実施するための形態により、本発明を詳細に説明する。
【００１１】
図１ないし図９に示す本発明を実施するための第１の形態において、１は本発明の張設線で、この張設線１は靭性が高く硬く、通電による伸縮動作を行なう形状記憶合金ワイヤ２と、この形状記憶合金ワイヤ２が所定寸法となるように両端部に固定された端子３、３とで構成されている。
【００１２】
前記端子３、３は図２ないし図８に示すように、バネ材性のあるリン青銅あるいは端子として使用できる材質を用いて上部が二又に形成された端子本体４と、この端子本体４の一方の上部をほぼＵ字状に折り曲げられた前記形状記憶合金ワイヤ２の端部を固定する折り曲げ部５と、この折り曲げ部５の屈曲部５ａより離れた部位に前記形状記憶合金ワイヤ２の端部を挿入し、該形状記憶合金ワイヤ２の軸心方向に対して、図７に示すように凹凸部が生じるように該折り曲げ部５、前記形状記憶合金ワイヤ２を図９に示すような、ほぼ台形状の突起６を有する金型７と、ほぼ台形状の凹部８を有する金型９を用いてカシメるカシメ固定部１０と、前記形状記憶合金ワイヤ２の伸縮時に前記折り曲げ部５を押し開こうとする力を阻止するように、該折り曲げ部５の開放端周辺である開放端５ｂの中央部を前記端子本体４に図８に示すように長方形状にカシメによって固定する折り曲げ部の開放端固定部１１とで構成されている。
【００１３】
上記構成の張設線１は形状記憶合金ワイヤ２への通電をＯＮ、ＯＦＦさせて、形状記憶合金ワイヤ２を伸縮させて使用するが、この形状記憶合金ワイヤ２の伸縮時に形状記憶合金ワイヤ２と端子３、３の固定部の形状記憶合金ワイヤ２も伸縮するが、カシメ固定部１０で十分に固定されるとともに、形状記憶合金ワイヤ２の伸縮によって折り曲げ部５が押し開かれる力を、折り曲げ部の開放端固定部１１で阻止し、形状記憶合金ワイヤ２と端子３、３との固定状態を保持し、長期間寸法が変わることなく、安定した状態で使用することができる。    
【００１４】
[発明を実施するための異なる形態]
次に、図１０ないし図２５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１５】
図１０ないし図１２に示す本発明を実施するための第２の形態において、前記本発明を実施するための第１の形態と主に異なる点は、正方形状のカシメによって固定する折り曲げ部の開放端固定部１１Ａを形成した点で、このような折り曲げ部の開放端固定部１１Ａを形成した張設線１Ａにしても、前記本発明を実施するための第１の形態と同様な作用効果が得られる。
【００１６】
図１３ないし図１５に示す本発明を実施するための第３の形態において、前記本発明を実施するための第１の形態と主に異なる点は、折り曲げ部５の両側開放端に正方形状のカシメによって固定する折り曲げ部の開放端固定部１１Ｂ、１１Ｂを形成した点で、このような折り曲げ部の開放端固定部１１Ｂ、１１Ｂを形成した張設線１Ｂにしても、前記本発明を実施するための第１の形態と同様な作用効果が得られる。
【００１７】
図１６ないし図１８に示す本発明を実施するための第４の形態において、前記本発明を実施するための第１の形態と主に異なる点は、折り曲げ部５の開放端５ｂおよび、該開放端５ｂより突出する部位の端子本体４とにまたがるようにカシメによって固定する折り曲げ部の開放端固定部１１Ｃを形成した点で、このような折り曲げ部の開放端固定部１１Ｃを形成した張設線１Ｃにしても、前記本発明を実施するための第１の形態と同様な作用効果が得られる。
【００１８】
図１９ないし図２２に示す本発明を実施するための第５の形態において、前記本発明を実施するための第１の形態とともに異なる点は、三角形状の突起６Ａを形成した金型７Ａと、三角形状の凹部８Ａを形成した金型９Ａを用いてカシメ固定部１０Ａを形成した点で、このようなカシメ固定部１０Ａを形成した張設線１Ｄにしても、前記本発明を実施するための第１の形態と同様な作用効果が得られる。
【００１９】
図２３ないし図２５に示す本発明を実施するための第６の形態において、前記本発明を実施するための第１の形態と主に異なる点は、折り曲げ部５の開放端５ｂを溶接して折り曲げ部の開放端固定部１１Ｄを形成した点で、このような折り曲げ部の開放端固定部１１Ｄを形成した張設線１Ｅにしても、前記本発明を実施するための第１の形態と同様な作用効果が得られる。
【産業上の利用可能性】
【００２０】
本発明は形状記憶合金ワイヤに端子を固定した張設線を製造する産業で利用される。
【符号の説明】
【００２１】
１、１Ａ、１Ｂ、１Ｃ、１Ｄ、１Ｅ：張設線、
２：形状記憶合金ワイヤ、      ３：端子、
４：端子本体、                ５：折り曲げ部、  
５ａ：屈曲部、              ５ｂ：開放端、
６、６Ａ：突起、        ７、７Ａ：金型、
８、８Ａ：凹部、        ９、９Ａ：金型、
１０、１０Ａ：カシメ固定部、
１１、１１Ａ、１１Ｂ、１１Ｃ、１１Ｄ：折り曲げ部の開放端固定部。
【図１】
0005430341.tif 000002
【図２】
0005430341.tif 000003
【図３】
0005430341.tif 000004
【図４】
0005430341.tif 000005
【図５】
0005430341.tif 000006
【図６】
0005430341.tif 000007
【図７】
0005430341.tif 000008
【図８】
0005430341.tif 000009
【図９】
0005430341.tif 000010
【図１０】
0005430341.tif 000011
【図１１】
0005430341.tif 000012
【図１２】
0005430341.tif 000013
【図１３】
0005430341.tif 000014
【図１４】
0005430341.tif 000015
【図１５】
0005430341.tif 000016
【図１６】
0005430341.tif 000017
【図１７】
0005430341.tif 000018
【図１８】
0005430341.tif 000019
【図１９】
0005430341.tif 000020
【図２０】
0005430341.tif 000021
【図２１】
0005430341.tif 000022
【図２２】
0005430341.tif 000023
【図２３】
0005430341.tif 000024
【図２４】
0005430341.tif 000025
【図２５】
0005430341.tif 000026